(57)【要約】      （修正有）【課題】分割部分の端部の素材が露出して損耗することのない分割箸を提供する。【解決手段】木製の箸先体１と、木製の箸持ち体２と、前記箸先体の後端に取り付けられる第一継ぎ手３と、前記箸持ち体２の前端に取り付けられる第二継ぎ手４とを備え、第一継ぎ手３が箸先体１の後端を接着剤を介して挿入固定するための箸先体挿入孔３１と、第二継ぎ手４を螺入するための雌ネジ部３２とを備え、第二継ぎ手４が第一継ぎ手３の雌ネジ部３３に挿入する雄ネジ部２２と、箸持ち体２の前端を接着剤Ｒを介して挿入固定するための箸持ち体挿入孔４１を備える分割箸。【選択図】図２
0003139283.tif 000002
【実用新案登録請求の範囲】
【請求項１】
木製の箸先体と、
木製の箸持体と、  
前記箸先体の後端に取り付けられる第一継ぎ手と、
前記箸持ち体の前端に取り付けられる第二継ぎ手とを備え、
第一継ぎ手が箸先体の後端を接着剤を介して挿入固定するための箸先体挿入孔と、第二継ぎ手を螺入するための雌ネジ部とを備え、
第二継ぎ手が第一継ぎ手の雌ネジ部に挿入する雄ネジ部と、箸持ち体の前端を接着剤を介して挿入固定するための箸持ち体挿入孔を備えることを特徴とする分割箸。
【請求項２】
箸先体の後端が凹凸部を有し、箸先体挿入孔が雌ネジ部を有することを特徴とする請求項１記載の分割箸。
【請求項３】
箸先体の後端の凹凸部が雄ネジ形状であることを特徴とする請求項２記載の分割箸。
【請求項４】
箸先体の後端の凹凸部がスプライン形状であることを特徴とする請求項２記載の分割箸。
【請求項５】
箸先体の後端の凹凸部が多条溝形状であることを特徴とする請求項２記載の分割箸。
【請求項６】
第一継ぎ手の雌ネジ部の開口部にテーパー部が形成され、且つ第二継ぎ手の雄ネジ部の根元にテーパー部が形成され、雌ネジ部に雄ネジ部が螺合される際、両テーパー部が圧接されるものであることを特徴とする請求項１記載の分割箸。
【請求項７】
第一継ぎ手の雌ネジ部の開口部にテーパー部が形成され、且つ第二継ぎ手の雄ネジ部の根元にテーパー部が形成され、雌ネジ部の開口部のテーパー部と雄ネジ部の根元のテーパー部とが異なったテーパー角度であり、雌ネジ部に雄ネジ部が螺合される際、両テーパー部間で弾圧作用が生じるものであることを特徴とする請求項１記載の分割箸。
【請求項８】
箸先体の後端の凹凸部が、箸先体挿入孔に箸先体を回動せずに挿入可能であることを特徴とする請求項３記載の分割箸。
【請求項９】
箸先体の後端の凹凸部をスリット状の溝とし、第一継ぎ手の箸先体挿入孔に突起を形成し、該突起が該溝に嵌り込むようにしたことを特徴とする請求項１記載の分割箸。
【請求項１０】
箸先体の後端の凹凸部をＬ字スリット状の溝とし、第一継ぎ手の箸先体挿入孔に突起を形成し、該突起がＬ字スリット状の溝の曲がった先端に嵌り込むようにしたことを特徴とする請求項１記載の分割箸。
【考案の詳細な説明】
【技術分野】
【０００１】
本考案は、分割可能な分割箸に関する。
【背景技術】
【０００２】
近年、環境意識の高まりによって、箸を持参して飲食店を訪れる人が増加している。
このような状況の中、携帯に便利な分割箸が人気を集めている。
この種の分割箸としては、例えば、特許文献１、２に示されるものがある。
【０００３】
特許文献１に記載されている分割箸は、上半部と下半部とよりなり、下半部には挿入突部が、また上半部には挿入孔が一体に形成されている。
そして、挿入突部を挿入孔へと挿入することで上半部と下半部とを連結することができる。
しかし、２つに分割した状態では、下半部と上半部とにそれぞれ形成された挿入突部及び挿入孔が露出するため、箸の素材が木材の場合は、何かに当たった場合、変形し易く、また損耗も速い。
【０００４】
また特許文献２に記載されている分割箸は、別のカップリング手段である連結管を使うもので、この連結管を介して下節と上節とを連結する構造である。
しかし、これも２つに分割した状態では、下節及び上節に形成されたそれぞれの連結軸が露出する。
上述したいずれの分割箸も、強い力を必要とせず、着脱が容易に行え、また分割することで、小さくなり携帯しやすくなる利点がある。
連結した状態で抜き力が働くと外れ易く、２つに分離した状態では挿入突部が露出しており磨り減ったり、何かに当たった場合、変形し易い。
特に素材が木材の場合はその傾向が強い。
もっとも露出部に硬化処理を行ったりしたものがあるが、その効果には限度がある。
【特許文献１】特開平４−４８８７０号公報
【特許文献２】実用新案登録第３１３１２６３号公報
【考案の開示】
【考案が解決しようとする課題】
【０００５】
本考案は、このような背景のもとで、技術的問題点を解決するためになされたものである。
すなわち、本考案の目的は、分割部分の端部の素材が露出して損耗することのない分割箸を提供することである。
【課題を解決するための手段】
【０００６】
本考案者は、以上のような課題背景をもとに鋭意研究を重ねた結果、箸先体（又は箸持ち体）の端部、及び該端部に取り付けられる継ぎ手の表面に凹凸加工を施すことで上記の課題を解決できることを見出し、その知見に基づいて本考案を完成させたものである。
【０００７】
すなわち本考案は、（１）、木製の箸先体と、木製の箸持ち体と、前記箸先体の後端に取り付けられる第一継ぎ手と、前記箸持ち体の前端に取り付けられる第二継ぎ手とを備え、第一継ぎ手が箸先体の後端を接着剤を介して挿入固定するための箸先体挿入孔と、第二継ぎ手を螺入するための雌ネジ部とを備え、第二継ぎ手が第一継ぎ手の雌ネジ部に挿入する雄ネジ部と、箸持ち体の前端を接着剤を介して挿入固定するための箸持ち体挿入孔を備える分割箸に存する。
【０００８】
また本考案は、（２）、箸先体の後端が凹凸部を有し、箸先体挿入孔が雌ネジ部を有する上記（１）記載の分割箸に存する。
【０００９】
また本考案は、（３）、箸先体の後端の凹凸部が雄ネジ形状である上記（２）記載の分割箸に存する。
【００１０】
また本考案は、（４）、箸先体の後端の凹凸部がスプライン形状である上記（２）記載の分割箸に存する。
【００１１】
また本考案は、（５）、箸先体の後端の凹凸部が多条溝形状である上記（２）記載の分割箸に存する。
【００１２】
また本考案は、（６）、第一継ぎ手の雌ネジ部の開口部にテーパー部が形成され、且つ第二継ぎ手の雄ネジ部の根元にテーパー部が形成され、雌ネジ部に雄ネジ部が螺合される際、両テーパー部が圧接されるものである上記（１）記載の分割箸に存する。
【００１３】
また本考案は、（７）、第一継ぎ手の雌ネジ部の開口部にテーパー部が形成され、且つ第二継ぎ手の雄ネジ部の根元にテーパー部が形成され、雌ネジ部の開口部のテーパー部と雄ネジ部の根元のテーパー部とが異なったテーパー角度であり、雌ネジ部に雄ネジ部が螺合される際、両テーパー部間で弾圧作用が生じるものである上記（１）記載の分割箸に存する。
【００１４】
また本考案は、（８）、箸先体の後端の凹凸部が、箸先体挿入孔に箸先体を回動せずに挿入可能である上記（３）記載の分割箸に存する。
【００１５】
また本考案は、（９）、箸先体の後端の凹凸部をスリット状の溝とし、第一継ぎ手の箸先体挿入孔に突起を形成し、該突起が該溝に嵌り込むようにした上記（１）記載の分割箸に存する。
【００１６】
また本考案は、（１０）、箸先体の後端の凹凸部をＬ字スリット状の溝とし、第一継ぎ手の箸先体挿入孔に突起を形成し、該突起がＬ字スリット状の溝の曲がった先端に嵌り込むようにした上記（１）記載の分割箸に存する。
【００１７】
なお、本考案の目的に添ったものであれば上記の考案を適宜組み合わせた構成も採用可能である。
【考案の効果】
【００１８】
箸先体の後端に取り付けられる第一継ぎ手と、箸持ち体の前端に取り付けられる第二継ぎ手とを備え、第一継ぎ手と第二継ぎ手とが螺入する構造であるため、箸先体１の後端の素材部分及び箸持ち体の前端の素材部分が、それぞれ第一継ぎ手及び第二継ぎ手４によって、隠されて露出しない。
そのため、損耗が防止される。
【００１９】
箸先体の後端が凹凸部を有し、第一継ぎ手の箸先体挿入孔がネジ部を有するので、箸先体と第一継ぎ手とが強固に固定され外れない。
第一継ぎ手１の雌ネジ部３２の開口部にテーパー部３２Ａが、且つ第二継ぎ手の雄ネジ部４２の根元にテーパー部４２Ａがそれぞれ形成され、雌ネジ部３２に雄ネジ部４２が螺合される際、両テーパー部が圧接されるものであることで、接触面積が大きくなり、その結果、両テーパー部間に生じる摩擦力が増大し、螺合が緩み難くなる。
【考案を実施するための最良の形態】
【００２０】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
（第一実施形態）
図１は、本実施形態の分割箸を示す正面図である。
本実施形態の分割箸Ａは分離自在、且つ分割されたもの同士の連結も自在であるので、そのような構造を有していない通常の箸に比べて携帯性に便利である。
【００２２】
また、本実施形態の分割箸Ａにおいては、箸先体１の連結端部や箸持ち体２の連結端部の素材が露出しない。そして箸先体１と第一継ぎ手３との連結構造、または箸持ち体２と第二継ぎ手４との連結構造に工夫が施されており、箸先体１と第一継ぎ手３とは確実に一体化する。
同様に、箸持ち体２と第二継ぎ手４とも確実に一体化する。
【００２３】
箸先体１と箸持ち体２とを連結して締め込む際、箸先体１から第一継ぎ手３が、又は箸持ち体２から第二継ぎ手が外れるということはない。
【００２４】
次に分割箸Ａについて具体的に説明する。
図２は、本実施形態の分割箸の要部を示す断面展開図である。
図３は、本実施形態の分割箸の要部を示す断面図である。
図２、図３に示すように本実施形態の分割箸Ａは、木製の箸先体１と、木製の箸持ち体２と、からなる。
箸先体１の一方の後端１１には第一継ぎ手３が取り付け固定されており、また、箸持ち体２の一方の端部２１には第二継ぎ手４が取り付け固定されている。
箸先体１の後端１１及び箸持ち体２の端部２１は、それぞれの隣接する部分よりも縮径されて形成されている。
【００２５】
第一継ぎ手３を取り付け固定した際に、第一継ぎ手３と箸先体１とが面一になるように後端１１が縮径され、同様に第二継ぎ手４を取り付けた際に、第二継ぎ手４と箸持ち体２とが面一になるように、端部２１が縮径されている。
これで箸先体１の後端１１の素材部分及び箸持ち体２の端部２１の素材部分が、それぞれ第一継ぎ手３及び第二継ぎ手４によって、隠されて露出しない。
【００２６】
箸先体１及び箸持ち体２として紫檀、黒檀、檜、竹、杉、栗、柳、鉄目（ウリン）等の木材が採用される。
【００２７】
第一継ぎ手３及び第二継ぎ手４は、箸先体１と箸持ち体２とを連結させるためのカップリング手段に相当するもので、この第一継ぎ手３と第二継ぎ手４とは螺合によって結合される。
第一継ぎ手３についていうと、箸先体１の後端１１が挿入固定される箸先体挿入孔３１と、第二継ぎ手４が螺入するための雌ネジ部３２とを備えている。
そして、雌ネジ部３２の開口部にはテーパー部３２Ａが形成されている。
【００２８】
また、第一継ぎ手３においては、箸先体挿入孔３１と雌ネジ部３２とは連通している。
このように箸先体挿入孔３１と雌ネジ部３２とを連通させることで、箸先体１と第一継ぎ手３とを接着剤Ｒで固定させる際に、余剰接着剤を箸先体側ではなく雌ネジ部３２の中に排出させることができ、箸先体１の表面を汚すことが防止できる。
【００２９】
第二継ぎ手４についていうと、箸持ち体２の端部２１が挿入される箸持ち体挿入孔４１と、第一継ぎ手３と螺合するための雄ネジ部４２とを備えている。
そして、雄ネジ部４２の根元にはテーパー部４２Ａが形成されている。
第一継ぎ手３のテーパー部３２Ａのテーパー角度と、雄ネジ部４２の根元のテーパー部４２Ａのテーパー角度とは同じであるため、第一継ぎ手３と第二継ぎ手とを螺合させた際に、両テーパー部同士が全面で圧接する。
圧接するのは両テーパー部同士であるため、接触面積が大きくなり、その結果、両テーパー部間に生じる摩擦力が増大し、螺合が緩み難くなる。
一方、第二継ぎ手４においては、箸持ち体挿入孔４１と雄ネジ部４２とは連通して形成されている。
箸持ち体挿入孔４１と雄ネジ部とを連通させることの効果は、上述したと同様に、余剰接着剤を箸持ち体側ではなく第二継ぎ手４の中に排出させることができることである。
【００３０】
次に、箸先体１と第一継ぎ手３との連結構造について説明する。
図３に示すように、箸先体１の後端１１の外周には雄ネジ形状の凹凸部１２が形成されており、他方の第一継ぎ手３の箸先体挿入孔３１の内周面には雌ネジ部３３が形成されている。
ただし、箸先体１の後端１１の外径は箸先体挿入孔３１の内径よりも小さく形成されている。
【００３１】
従って、第一継ぎ手３を箸先体１に取り付ける際に、凹凸部１２の山と雌ネジ部３３の山とが引っ掛かり合うことがないので、箸先体１を真っ直ぐに移動して箸先体挿入孔３１に挿入することができる。
【００３２】
そして、第一継ぎ手３を箸先体１に接着剤Ｒを用いて取り付けると、第一継ぎ手３と箸先体１の後端１１との間に形成された接着剤Ｒの層に、凹凸部１２と雌ネジ部３３とが食い込み、的確にアンカー効果が発揮される。
その結果、第一継ぎ手３は箸先体１の後端１１に強固に固定される。
【００３３】
箸持ち体２と第二継ぎ手４との連結構造は、箸先体１と第一継ぎ手３との連結構造と同様で、箸持ち体２の端部２１の外周には凹凸部２２が形成されており、第二継ぎ手４の箸持ち体挿入孔４１の内周面には雌ネジ部４３が形成されている。
そして、端部２１の外径も箸持ち体挿入孔４１の内径より小さく形成されている。
第二継ぎ手４を箸持ち体挿入孔４１に取り付ける際に、凹凸部２２の山と雌ネジ部４３の山とが引っ掛かり合うことがないので、箸先体１を真っ直ぐに移動して箸先体挿入孔３１に挿入することができる。
従って、第二継ぎ手４を接着剤Ｒを用いて端部２１に取り付けると、先述した、第一継ぎ手３の場合と同じ理由により、第二継ぎ手４は箸持ち体２の端部２１に強固に固定される。
【００３４】
（第二実施形態）
図４は、本実施形態の箸先体と第一継ぎ手３との連結構造を示す説明図である。
なお、箸持ち体２と第二継ぎ手４との連結構造は、箸先体１と第一継ぎ手の連結構造と同一であるので、説明を省略する。
本実施形態の箸先体１の後端１１の外周には、周方向に沿って外周全体を一周する溝１２（凹凸部１２）が複数本形成されている。
一方、第一継ぎ手３の箸先体挿入孔３１には雌ネジ部３３が形成されている。
【００３５】
第一継ぎ手３を箸先体１に接着剤Ｒを用いて取り付けた際に、箸先体１の後端１１の溝１２（凹凸部１２）と第一継ぎ手３の箸先体挿入孔３１の雌ネジ部３３の間には接着剤Ｒが入り込み、アンカー効果が発揮される。
そのため、第一継ぎ手３は箸先体１に確実に固定されるのである。
なお、本実施形態においても、箸先体１の後端１１の外径は第一継ぎ手３の内径よりも小さく形成されているため、第一継ぎ手３を箸先体１に向かって真っ直ぐに移動させるだけでスムースに挿入することができる。
【００３６】
（第三実施形態）
溝１２（凹凸部１２）が形成される向きは、後端１１の周方向に限られず、図５に示すように、長さ方向に形成される、いわゆるスプライン形状とすることもできる。
この場合、第一継ぎ手３を箸先体１に接着剤Ｒを用いて取り付けた際に、箸先体１の後端１１の溝１２と第一継ぎ手３の箸先体挿入孔３１の雌ネジ部３３との間には接着剤Ｒが入り込みアンカー効果が発揮される。
この場合、溝１２とネジ部とがほぼ直交するため、回動抵抗力が強い。
具体的には、箸先体１を一方の手で持ち、他方の手で箸持ち体２を持ち、箸持ち体２を回動させようとすると第一継ぎ手３もその方向に回動しようとする。
そのため、箸先体１に対して第一継ぎ手３が回動するように作用するが、十分な回動抵抗力が働き、箸先体１と第一継ぎ手３とが外れる（接着剤Ｒが剥離する）ようなことがない。
【００３７】
（第四実施形態）
また、図６に示すように、箸先体１の後端１１の凹凸部１２（すなわち溝１２）は斜めの方向に形成されても構わない。
溝１２と第一継ぎ手３の箸先体挿入孔３１の雌ネジ部３３との間には接着剤Ｒが入り込みアンカー効果が発揮される。
この場合も溝１２と雌ネジ部３３とが斜交するため、回動抵抗力は強いものとなる。
【００３８】
（第五実施形態）
図７に示すように、箸先体１の後端１１の凹凸部１２（すなわちスリット状の溝１２）は長さ方向に形成し、第一継ぎ手３の箸先体挿入孔３１に突起３１Ａを形成して該溝１２に突起３１Ａが嵌り込むようにすることも可能である。ここで溝１２は、一本でも複数本でもよい。
その場合、突起３１Ａは溝１２の本数に合わせる。溝１２と箸先体挿入孔３１の間には接着剤Ｒが入り込みアンカー効果が発揮される。
この実施の形態では、溝１２に突起３１Ａが嵌り込むので箸先体１と第一継ぎ手３が回動力により外れることは確実に防止される。
突起３１Ａの形成の仕方は、表面からピンを圧入する方法、ピンを溶着固定する方法等により適宜行うことができる。
【００３９】
（第六実施形態）
図８に示すように、箸先体１の凹凸部１２は、長さ方向に形成され先端が少し曲がったＬ字スリット状の溝１２となっている。
第一継ぎ手３の箸先体挿入孔３１に突起３１Ａを形成して該溝１２に突起３１Ａが嵌り込むようにする。
この場合、溝１２は一本が好ましい。
この場合、箸先体１を第一継ぎ手３の箸先体挿入孔３１に挿入して少し回動させることにより、溝１２の曲がった先端に突起３１Ａが嵌り込み抜け止めが確実となる。
溝１２と箸先体挿入孔３１の間には接着剤Ｒが入り込みアンカー効果が発揮されるが、Ｌ字スリット状の溝１２の曲がった先端に突起３１Ａが嵌り込むので、箸先体１と第一継ぎ手３が引抜き力により外れることが確実に防止される。
【００４０】
（第七実施形態）
また、図９に示すように、箸先体１の後端１１に形成される凹凸部１２の形状を雄ネジにし、該雄ネジを第一継ぎ手３の雌ネジ部３３に甘く螺合させる。
ここでは、凹凸部１２と雌ネジ部３３とは、通常の螺合とは異なり遊びのあるものとする。
箸先体１の凹凸部１２（すなわち雄ネジ）と第一継ぎ手３の箸先体挿入孔３１の雌ネジ部３３との間には接着剤Ｒが入り込みアンカー効果が発揮される。
この場合、アンカー効果の発揮に加えて、軸線方向の抜けをほぼ確実に防ぐことができる。
【００４１】
（第八実施形態）
また、図には示さない、第一継ぎ手３の雌ネジ部３２の開口部に形成されたテーパー部３２Ａのテーパー角度と、第二継ぎ手の４の雄ネジ部４２の根元に形成されたテーパー部４２Ａのテーパー角度と、が異なるように両継ぎ手を形成すると、継ぎ手同士を結合した際に抜け難くなる。
より詳しく説明すると、テーパー部３２Ａの角度をテーパー部４２Ａの角度よりも小さく形成することで、テーパー部３２Ａが僅かに弾性変形しながら両継ぎ手が結合される。
そのため、テーパー部３２Ａが復元力によりテーパー部４２Ａを押圧し、第一継ぎ手３と第二継ぎ手４との間に弾圧力が発生する。
その結果、第一継ぎ手３と第二継ぎ手４とのとが螺合が緩むことがない。
また、第一継ぎ手３に対して第二継ぎ手４を締め込む場合、最後の当たりが柔らかとなる。
【００４２】
以上、本考案をその一実施形態を例に説明したが、本考案は上述した実施形態のみに限定されるものではなく、種々の変形が可能である。
そして各実施の形態で述べた箸先体１と第一継ぎ手３との連結構造は、箸先体１と第一継ぎ手の連結構造に当然、適用可能であることは云うまでもない。
【図面の簡単な説明】
【００４３】
【図１】図１は、第一実施形態の分割箸を示す正面図であり、（Ａ）は、分離前、（Ｂ）は分離後を示す。
【図２】図２は、第一実施形態の分割箸の要部を示す断面展開図である。
【図３】図３は、第一実施形態の分割箸の要部を示す断面図である。
【図４】図４は、第二実施形態の箸先体と第一継ぎ手との連結構造を示す説明図である。
【図５】図５は、第三実施形態の分割箸の要部を示す断面展開図である。
【図６】図６は、第四実施形態の分割箸の要部を示す断面展開図である。
【図７】図７は、第五実施形態の分割箸の要部を示す断面展開図である。
【図８】図８は、第六実施形態の分割箸の要部を示す断面展開図である。
【図９】図９は、第七実施形態の分割箸の要部を示す断面展開図である。
【符号の説明】
【００４４】
Ａ・・・分割箸
１・・・箸先体
１１・・・端部
１２・・・凹凸部（溝、スリット溝、Ｌ字状スリット溝）
２・・・箸持ち体
２１・・・端部
２２・・・雄ネジ部
３・・・第一継ぎ手
３１・・・箸先体挿入孔
３１Ａ・・・突起
３２・・・雌ネジ部
３２Ａ・・・テーパー部
３３・・・雌ネジ部
３４・・・溝
４・・・第二継ぎ手
４１・・・箸持ち体挿入孔
４２・・・雄ネジ部
４２Ａ・・・テーパー部
４３・・・雄ネジ部
Ｒ・・・接着剤
【図１】
0003139283.tif 000003
【図２】
0003139283.tif 000004
【図３】
0003139283.tif 000005
【図４】
0003139283.tif 000006
【図５】
0003139283.tif 000007
【図６】
0003139283.tif 000008
【図７】
0003139283.tif 000009
【図８】
0003139283.tif 000010
【図９】
0003139283.tif 000011